(57)【要約】【課題】生ごみや残り滓が蓋と撹拌槽の排出口外周部との間に侵入しないようにする。【解決手段】生ごみ処理装置搭載車に搭載された生ごみ処理装置の撹拌槽４の側壁４ｆに形成された排出口１５に蓋１７を開閉可能に設ける。蓋１７の外周部に縦面３８ａと横面３８ｂとからなる断面Ｌ字形の切欠状段部３８を形成する。蓋１７で排出口１５を閉じた状態で、縦面３８ａが側壁４ｆの排出口外周部４ｇに対面するとともに横面３８ｂが排出口１５に臨み、排出口外周部４ｇと縦面３８ａとの間に排出口１５を取り囲むように環状のシール材３９を介在させる。【選択図】　　　図１
2004089966.tif 000002
【特許請求の範囲】
【請求項１】
上壁に投入口が側壁に排出口がそれぞれ形成され、上記投入口から投入された生ごみを撹拌しながら発酵・乾燥処理し、この処理物を上記排出口から排出する箱形の撹拌槽を備えた生ごみ処理装置が車台に搭載された生ごみ処理装置搭載車であって、
上記排出口には、蓋が開閉可能に設けられ、
上記蓋の外周部には、縦面と横面とからなる断面Ｌ字形の切欠状段部が形成され、上記蓋で排出口を閉じた状態で、上記縦面が側壁の排出口外周部に対面するとともに上記横面が排出口に臨み、上記排出口外周部と縦面との間には、排出口を取り囲むように環状のシール材が介在されていることを特徴とする生ごみ処理装置搭載車。
【発明の詳細な説明】
【０００１】
【発明の属する技術分野】
この発明は、生ごみ処理装置搭載車に関するものである。
【０００２】
【従来の技術】
家庭や市場等で日々発生する生ごみを堆肥や家畜用飼料として有効利用することが行われている。このために生ごみ処理装置搭載車なるものが開発されている。この生ごみ処理装置搭載車では、撹拌槽が車台に搭載されており、この撹拌槽内はヒータで加熱された温風が送り込まれて好気性発酵条件に適した温度雰囲気になっていて、撹拌槽内に水分調整材と共に投入された生ごみを撹拌スクリュで撹拌する過程で発酵処理するようになっている（例えば、特許文献１及び特許文献２参照）。
【０００３】
【特許文献１】
特開昭５８−１０４８０１号公報（第２頁、図１）
【特許文献２】
特開昭６４−１７７０１号公報（第２，３頁、図１）
【０００４】
一般に、このような生ごみ処理装置搭載車では、生ごみを撹拌槽内に投入するための投入口が撹拌槽の上壁に形成されているとともに、処理されて飼料や堆肥となった処理物を撹拌槽から排出するための排出口が撹拌槽の側壁に形成されている。
【０００５】
ところで、上述の如き撹拌槽の排出口には、蓋が開閉可能に取り付けられている。この蓋は、処理物を排出するときや撹拌槽内を清掃するときを除いて閉じられている。この蓋の取付構造は、一般には図５に示すようになっている。
【０００６】
図５において、ａは撹拌槽であり、該撹拌槽ａの側壁ｂには排出口ｃが形成され、該排出口ｃの開口周端縁部には開口枠部材ｄが外方に突設されている。そして、蓋ｅが、上記開口枠部材ｄ外周りに固着された蓋取付枠部ｆ上端にヒンジｇによって上下方向に開閉可能に支持され、蓋閉動作により上記排出口ｃを蓋ｅで閉じるようになっている。
【０００７】
【発明が解決しようとする課題】
しかし、上記の取付構造では、排出口ｃを蓋ｅで閉じた状態で、蓋ｅが開口枠部材ｄ内に入って排出口ｃに臨み、蓋ｅと側壁ｂの排出口外周部とは重なり合うことなくほぼ面一になっているため、両者間にできた隙間ｈに生ごみや残り滓が侵入して腐ると、衛生上好ましくない。特に、処理物が飼料である場合には、腐った生ごみ等が飼料に混ざると家畜に害になるので問題である。
【０００８】
この発明はかかる点に鑑みてなされたものであり、その目的とするところは、生ごみや残り滓が蓋と撹拌槽の排出口外周部との間に侵入しないようにすることである。
【０００９】
【課題を解決するための手段】
上記の目的を達成するため、この発明は、蓋と撹拌槽との排出口周りの構造に工夫を凝らしたことを特徴とする。
【００１０】
具体的には、この発明は、上壁に投入口が側壁に排出口がそれぞれ形成され、上記投入口から投入された生ごみを撹拌しながら発酵・乾燥処理し、この処理物を上記排出口から排出する箱形の撹拌槽を備えた生ごみ処理装置が車台に搭載された生ごみ処理装置搭載車を対象とし、次のような解決手段を講じた。
【００１１】
すなわち、この発明は、上記排出口には、蓋が開閉可能に設けられ、上記蓋の外周部には、縦面と横面とからなる断面Ｌ字形の切欠状段部が形成され、上記蓋で排出口を閉じた状態で、上記縦面が側壁の排出口外周部に対面するとともに上記横面が排出口に臨み、上記排出口外周部と縦面との間には、排出口を取り囲むように環状のシール材が介在されていることを特徴とする。
【００１２】
上記の構成により、請求項１に記載の発明では、蓋で排出口を閉じた状態で、撹拌槽の側壁の排出口外周部と蓋外周部の切欠状段部の縦面とが対面し、かつその間にシール材が介在することにより、排出口と蓋との間がシールされて両者間に生ごみや残り滓が侵入せず、衛生面が確保される。
【００１３】
【発明の実施の形態】
以下、この発明の実施の形態について図面に基づいて説明する。
【００１４】
図２〜図４はこの発明の実施の形態に係る生ごみ処理装置搭載車Ａを示す。この生ごみ処理装置搭載車Ａは、車体フレーム１の前端にキャビン２が設けられているとともに、車体フレーム１上に車台３が搭載され、該車台３に生ごみ処理装置Ｂが搭載されている。
【００１５】
上記生ごみ処理装置Ｂは、箱形の撹拌槽４と温風発生装置Ｃとを備え、該温風発生装置Ｃは上記撹拌槽４の車体前方側に隣設された区画室５内に設置されている。上記撹拌槽４には、２つの撹拌羽根車６が車幅方向に平行に配置され、これら撹拌羽根車６は、軸受７で前壁４ａ及び後壁４ｂに回転自在に支持された車体前後方向に延びる撹拌軸８を備え、該撹拌軸８には放射状に延びる複数本の撹拌棒９が軸方向に間隔をあけて固定され、該各撹拌棒９の先端には偏平な撹拌羽根１０が固定されている。上記両撹拌軸８の車体前方側の端部は上記区画室５に突出していて、その突出端部に油圧モータ１１がそれぞれ連結され、該油圧モータ１１を起動させて上記撹拌羽根車６を回転させることにより、上記撹拌槽４の上壁４ｃに形成された投入口１２から水分調整材（堆肥の場合は米糠やおが屑等、飼料の場合はトウモロコシや大豆滓等）と共に投入された生ごみを好気性発酵条件の下で撹拌しながら発酵・乾燥処理するようになっている。
【００１６】
上記撹拌槽４の底壁４ｄは、上記２つの撹拌羽根車６の回転軌跡に倣って車幅方向中央が上方に突出して該突出部４ｅの両側で凹状に湾曲した形状に形成され、上記撹拌羽根車６で撹拌される生ごみを上記突出部４ｅ両側の凹状湾曲部に振り分けて生ごみが撹拌槽４内で均一に混ざるようにしている。さらに、上記撹拌槽４の底壁４ｄ裏面には、上記温風発生装置Ｃと共に撹拌槽４内の生ごみを加熱して発酵・乾燥させる底ヒータ１３が設置されている。
【００１７】
上記温風発生装置Ｃは、据付台１９に立設された縦型の略円筒形のケース２０を備え、該ケース２０は外周が断熱材（図示せず）で覆われていて、内部にはニクロム線（図示せず）が埋設された３本の発熱体２２がケース中心線に沿って平行に配置されて加熱装置２３を構成している。上記据付台１９には、空気の流れや風量を調整するエアダンパ２４付きのブロワ２５が上記ケース２０の下端に隣設されて接続され、上記ケース２０内にブロワ２５により圧送された空気を送り込むようになっている。上記ケース２０の上端側には導出配管２９が接続され、該導出配管２９は撹拌槽４の前壁４ａを嵌挿して撹拌槽４内に臨んでいる。そして、上記ブロワ２５によりケース２０内に導入された空気を圧送する過程で、上記発熱体２２により加熱して導出配管２９を経て撹拌槽４内に温風として送り込み、上記底ヒータ１３と共に撹拌槽４内を好気性発酵条件に適した雰囲気温度に加熱し、撹拌槽４内に水分調整材と共に投入された生ごみを撹拌羽根車６で撹拌しながら発酵・乾燥処理するようになっている。
【００１８】
上記生ごみ処理装置搭載車Ａへの生ごみ投入は、車体後端に設けられた反転投入装置（反転投入機構は図示せず）Ｄにより回収コンテナ１４を上方に持ち上げて反転させることで行われるようになっている（図２仮想線参照）。また、発酵・乾燥処理が終わって生成された処理物は、撹拌槽４の左右両側壁４ｆに設けられた矩形に開口する排出口１５から排出され、堆肥や飼料として用いられるようになっている。１６は上記投入口１２を開閉する蓋、１７は上記排出口１５を開閉する蓋である。また、１８は作業者がメンテナンス等の際に撹拌槽４の上壁４ｃに昇るための梯子である。
【００１９】
図１に拡大詳示するように、上記排出口１５を開閉する蓋１７は、正面板３０と、該正面板３０裏面に固着された矩形環状の側面板３１と、該側面板３１の開口を塞ぐ裏面板３２とからなる蓋本体３３を備え、上記裏面板３２は断熱材３２ａと保護材３２ｂとの２層構造である。上記蓋本体３３の正面板３０には、上下方向に延びるフレーム３４が２つ平行に固着され（図２参照）、その下端には作業者が把持する把持部３５が橋絡されている。
【００２０】
一方、上記撹拌槽４の排出口１５外周りには、矩形環状の開口枠部材３７が排出口１５の開口周端縁部から所定の間隔をあけて固着されて外方に突出し、側壁４ｆの排出口外周部４ｇが上記開口枠部材３７内に延出している。上記開口枠部材３７外周りには蓋取付枠部３７ａが固着され、該蓋取付枠部３７ａ上端に上記蓋１７のフレーム３４上端がヒンジ３６によって取り付けられ、これにより蓋１７が上下方向に開閉可能に支持され、蓋閉動作により上記排出口１５を蓋１７で閉じるようになっている。
【００２１】
この発明の特徴として、上記蓋１７の蓋本体３３は排出口１５よりも大きく形成され、その内側外周部には、縦面３８ａと横面３８ｂとからなる断面Ｌ字形の切欠状段部３８が形成され、上記排出口１５を蓋１７で閉じた状態で、上記縦面３８ａが側壁４ｆの排出口外周部４ｇに対面するとともに、上記横面３８ｂが排出口１５に臨むようになっている。また、上記排出口外周部４ｇと縦面３８ａとの間には、排出口１５を取り囲むように矩形環状のシール材３９が介在され、排出口１５と蓋１７との間に生ごみや残り滓が侵入しないようになっている。また、上記開口枠部材３７の蓋取付枠部３７ａと蓋１７の正面板３０との間には、矩形環状の緩衝材４０が介在され、蓋閉動作時の衝撃を緩和するようになっている。
【００２２】
このように、この実施の形態では、蓋１７で排出口１５を閉じた状態で、蓋外周部の切欠状段部３８の縦面３８ａが側壁４ｆの排出口外周部４ｇに対面するとともに上記切欠状段部３８の横面３８ｂが排出口１５に臨み、上記排出口外周部４ｇと縦面３８ａとの間に排出口１５を取り囲むようにシール材３９を介在させていることから、排出口１５と蓋１７との間をシールして生ごみや残り滓の侵入を防止でき、衛生面を確保することができる。
【００２３】
【発明の効果】
以上説明したように、この発明によれば、側壁の排出口外周部と蓋外周部の切欠状段部の縦面とを対面させるとともに上記切欠状段部の横面を排出口に臨ませ、かつその間にシール材を介在させることで排出口を閉じるので、排出口と蓋との間を生ごみや残り滓が侵入しないようにシールして衛生面を確保することができる。
【図面の簡単な説明】
【図１】撹拌槽の排出口部分を拡大して示す断面図である。
【図２】生ごみ処理装置搭載車の側面図である。
【図３】生ごみ処理装置搭載車の平面図である。
【図４】生ごみ処理装置搭載車の撹拌槽の内部を車体後方から見た断面図である。
【図５】従来例の撹拌槽の排出口部分を拡大して示す断面図である。
【符号の説明】
３　　　　　　車台
４　　　　　　撹拌槽
４ｃ　　　　　上壁
４ｆ　　　　　側壁
４ｇ　　　　　排出口外周部
１２　　　　　　投入口
１５　　　　　　排出口
１７　　　　　　蓋
３８　　　　　　切欠状段部
３８ａ　　　　　縦面
３８ｂ　　　　　横面
３９　　　　　　シール材
Ａ　　　　　　生ごみ処理装置搭載車
Ｂ　　　　　　生ごみ処理装置
【図１】
2004089966.tif 000003
【図２】
2004089966.tif 000004
【図３】
2004089966.tif 000005
【図４】
2004089966.tif 000006
【図５】
2004089966.tif 000007